(57)【要約】【課題】直接又は滴下による塗布を可能とする使い勝手のよい塗布容器を提案する。【解決手段】内容物を収納する容器（１）と、この容器（１）の口部（１ａ）に設置され容器内につながる開口（２ａ）を有するベース（２）と、このベース（２）に覆いかぶさり該ベース（２）の開口（２ａ）につながる注出孔（３ａ）を有するカバー（３）と、該ベース（２）の開口（２ａ）及びカバー（３）の注出孔（３ａ）をそれぞれ隙間（ｔ、ｔ１）を隔てて挿通し、外部に向けて突出するロッド（４ａ）を有するとともにベース（２）の内側に密着して弾性支持される弁体（４）とを備え、前記ベース（２）とカバー（３）との相互間に、容器内の内容物をカバー（３）の注出孔（３ａ）より滴下させる通路（８）を設ける。【選択図】図１
2005335749.tif 000002
【特許請求の範囲】
【請求項１】
内容物を収納する容器と、この容器の口部に設置され容器内につながる開口を有するベースと、このベースに覆いかぶさり該ベースの開口につながる注出孔を有するカバーと、該ベースの開口及びカバーの注出孔をそれぞれ隙間を隔てて挿通し、外部に向けて突出するロッドを有するとともにベースの内側に密着して弾性支持される弁体とを備え、
前記ベースとカバーとの相互間に、容器内の内容物をカバーの注出孔より滴下させる通路を設けたことを特徴とする塗布容器。
【請求項２】
前記通路は、カバーの回動による位置合わせにて開通させるものである請求項１記載の塗布容器。
【請求項３】
前記ベースの開口は、ロッドを塗布すべき部位に押し当て該ロッドを介して弁体をベースの内側から離反させることによって開放するものである請求項１または２記載の塗布容器。
【発明の詳細な説明】
【技術分野】
【０００１】
本発明は、粘度の低い液体、とくに浸透生の高い液体を必要に応じて適量注出、塗布するのに好適な塗布容器に関するものである。
【背景技術】
【０００２】
痒み止め等の比較的低粘度の薬剤、とくに浸透生の高い薬剤を入れた容器は、その口部にスプリング等の部材にて弾性支持された弁体が組み込まれており、該弁体を患部に押し当てて開放し、その時注出された薬剤をそのまま、あるいはスポンジ等の塗布体を使用することで薬剤の塗布を可能としている（例えば特許文献１参照）。
【０００３】
【特許文献１】実開昭６１−１２９７５０号公報
【０００４】
ところで、この種の容器においては、内容物を滴下させて塗布したほうが都合がよい場合もあるところ、従来の塗布容器は弁体の開放は患部への押しつけによって行うものであるから内容物を滴下させて塗布することは不可能であった。
【発明の開示】
【発明が解決しようとする課題】
【０００５】
本発明の課題は、内容物を直接塗布する場合及び滴下させて塗布する場合の２種の塗布形態を選択できる塗布容器を提案するところにある。
【課題を解決するための手段】
【０００６】
本発明は、内容物を収納する容器と、この容器の口部に設置され容器内につながる開口を有するベースと、このベースに覆いかぶさり該ベースの開口につながる注出孔を有するカバーと、該ベースの開口及びカバーの注出孔をそれぞれ隙間を隔てて挿通し、外部に向けて突出するロッドを有するとともにベースの内側に密着して弾性支持される弁体とを備え、
前記ベースとカバーとの相互間に、容器内の内容物をカバーの注出孔より滴下させる通路を設けたことを特徴とする塗布容器である。
【０００７】
上記の構成になる塗布容器において、前記通路は、カバーの回動による位置合わせにて開通させるものが好ましい。
【０００８】
また、前記ベースの開口は、ロッドを塗布すべき部位に押し当て該ロッドを介して弁体をベースの内側から離反させることによって開放するものが適用される。
【発明の効果】
【０００９】
弁体につながるロッドを塗布部位に押し当てることで該弁体を開放して内容物の直接塗布を可能とし、ベースとカバーの相互間に設けた通路を通して内容物を流出させることで滴下による塗布を可能とする。
【発明を実施するための最良の形態】
【００１０】
以下、図面を用いて本発明をより具体的に説明する。
図１は本発明にしたがう塗布容器の実施の形態を示した図である。
【００１１】
図における１は内容物を収納する容器である。この容器１は図示はしないがオーバーキャップを装着することができるようになっている。また、２は容器１の口部１ａに挿入、設置されるベースであり、このベース２は容器１への挿入筒部内側に連結片を介して立設する内筒部上方に容器内につながる開口２ａを有する。３はベース２に回動自在でかつ抜け止め不能に覆いかぶさり該ベース２の開口２ａにつながる注出孔３ａを有するカバーである。このカバー３は外周壁に平板状の把持部が設けられる。また、４はベース２の開口２ａ及びカバー３の注出孔３ａをそれぞれ隙間ｔ、ｔ１を隔てて挿通し、外部に向けて突出するロッド４ａを有するとともにベース２の内側に密着して弾性支持される弁体である。この弁体４はベース２の開口２ａの直下に位置するもので、下向き外方にテーパー状に広がる弁座部の内側に密着するようになっている。５は弁体４と一体成形されベース２の内筒部末端で係止固定された弾性部材であって、この弾性部材５によって弁体４をベース２の内側、すなわち弁座部に圧接するように弾性支持する。
【００１２】
また、６はベース２とカバー３の相互間でベース２の内筒部外壁上方に設けられた溝部、７はベース２とカバー３の相互間でカバー３のインナーリング部内壁に設けられた溝部であり、これらの溝部６、７はカバー３の回動による位置合わせによって開通させる通路８を構成するものであって、この通路８及び通路８の上方に接続するベース２とカバー３の隙間を通して容器１内の内容物を流出させることでカバー３の注出孔３ａより滴下させる。
【００１３】
上記の構成になる塗布容器において容器内の内容物を滴下させるには、まず、カバー３の平板状の把持部をつまんで該カバー３をベース２に対して回転させ溝部６、７が連通するように位置合わせを行い、次いで図２に示すように反転させる。そうするとその要部を図３で拡大して示す如く容器１内の内容物は通路８を経てカバー３の注出孔３ａから滴下することになる。この状態では、ベース２の開口２ａは弁体４が弾性部材５によってベース２の弁座部に圧接、シールされているため開口２ａから内容物が流出することはない。
【００１４】
一方、図４に示すように弁体４のロッド４ａを塗布部位に押しつけるとロッド４ａにつながる弁体４は弾性部材５の反発力に抗してベース２の内側（弁座部）から離反し、開口２ａが開放されることになり、容器１内の内容物は該開口２ａ、及び注出孔３ａを経て塗布すべき部位に流出することになる。
【００１５】
この時、通路８を遮断しておけば開口２ａを通過する内容物のみが注出孔３ａから流出するが、通路８を開通させておくことでここからも内容物が同時に流出することになり、内容物の注出にかかわる流量の増大が見込める。
【００１６】
容器１は硬質の合成樹脂を用いることができるが、軟質あるいは薄肉の合成樹脂で構成してその胴部をスクイズできるようにしてもよく、容器の材質や肉厚等については限定されない。
【００１７】
とくに容器１をスクイズできるようにしておくことで、溝部６、７を通しての注出においては内容物の連続的な滴下が可能となる。なお、注出時の溝部６、７の位置合わせを容易にするため、図示はしないが、位置合わせ用のマークを付しておくのが好適である。
【００１８】
また、弾性部材５は弁体４に一体成形した構造のものについて示したが、これは別体ものであってもよいし、あるいはベース２と連結された構造であってもよい。
【産業上の利用可能性】
【００１９】
内容物を直接塗布する場合と滴下させて塗布する場合の２種の塗布形態を選択できる使い勝手のよい塗布容器が提供できる。
【図面の簡単な説明】
【００２０】
【図１】本発明にしたがう塗布容器の実施の形態を示した図である。
【図２】図１に示した塗布容器を反転させた状態を示した図である。
【図３】図２の要部を拡大して示した図である。
【図４】図１に示した容器の使用状況の説明図である。
【符号の説明】
【００２１】
１  容器
１ａ  口部
２  ベース
２ａ  開口
３  カバー
３ａ  注出孔
４  弁体
５  弾性部材
６  溝部
７  溝部
８  通路
【図１】
2005335749.tif 000003
【図２】
2005335749.tif 000004
【図３】
2005335749.tif 000005
【図４】
2005335749.tif 000006